(57)【要約】例えばＯＦＤＭＡのような無線通信システムにおける高速アクセスを容易にするシステムおよび方法が記述される。様々な局面によれば、アクセス・プローブを送信し、第１のアイデンティフィケーションを示す部分を備える第１の許可メッセージを受信し、第１のアイデンティフィケーションとは等しくない第２のアイデンティフィケーションを用いてメッセージを送信するシステムおよび方法が記述される。更に、このシステムおよび方法は、アクセス・プローブを受信することに応答して、第１のアイデンティフィケーションを示す部分を備えるアクセス許可を生成する。
2009530990.tif 000002
【特許請求の範囲】
【請求項１】
無線通信システムにおける高速アクセス方法であって、
アクセス・プローブを生成することと、
第１のアイデンティフィケーションを示す部分を備えた第１の許可メッセージを受信することと、
前記第１のアイデンティフィケーションと等しくない第２のアイデンティフィケーションを用いてメッセージを送信することと
を備える方法。
【請求項２】
請求項１に記載の方法は、第１のＭＡＣ  ＩＤを備える第２のアクセス許可を受信することから更に構成され、前記第１のＭＡＣ  ＩＤは、前記第２のアイデンティフィケーションと等しい方法。
【請求項３】
ＭＡＣ  ＩＤを使用せずに、その後のユーザ・データを送信することから更に構成される請求項２に記載の方法。
【請求項４】
前記アクセス・プローブを送信する前にアクセス・ネットワークとの同期が失われたかを判定することから更に構成される請求項１に記載の方法。
【請求項５】
前記アクセス・プローブを送信する前に端末の状態がスリープ状態であるかを判定することから更に構成される請求項１に記載の方法。
【請求項６】
第１のアクセス許可が第１の期間内に受信されない場合、第２のアクセス・プローブを送信する前に、第２のアクセス・プローブが送信される送信電力を増加することから更に構成される請求項１に記載の方法。
【請求項７】
無線通信システムにおける高速アクセス方法であって、
アクセス・プローブを受信することと、
前記アクセス・プローブを受信することに応答して、第１のアイデンティフィケーションを示すアクセス許可を生成することと、
前記第１のアイデンティフィケーションとは等しくない第２のアイデンティフィケーションを備えるメッセージを受信することと
を備える方法。
【請求項８】
前記受信したメッセージから抽出される前記第２のアイデンティフィケーションを備えた第２のアクセス許可を送信することから更に構成される請求項７に記載の方法。
【請求項９】
第１のＭＡＣ  ＩＤなしで、その後のユーザ・データを受信することから更に構成される請求項８に記載の方法。
【請求項１０】
メモリから抽出された前記第１のアイデンティフィケーションを備える第２のアクセス許可を送信することから更に構成される請求項７に記載の方法。
【請求項１１】
無線通信システムにおいて動作可能な装置であって、
アクセス・プローブを送信する手段と、
第１のアイデンティフィケーションを示す部分を備えた第１の許可メッセージを受信する手段と、
前記第１のアイデンティフィケーションと等しくない第２のアイデンティフィケーションを用いてメッセージを送信する手段と
を備える装置。
【請求項１２】
第１のＭＡＣ  ＩＤを備える第２のアクセス許可を受信する手段を更に備え、前記第１のＭＡＣ  ＩＤは、前記第２のアイデンティフィケーションと等しい請求項１１に記載の装置。
【請求項１３】
ＭＡＣ  ＩＤを使用せずに、その後のユーザ・データを送信する手段を更に備える請求項１２に記載の装置。
【請求項１４】
前記アクセス・プローブを送信する前にアクセス・ネットワークとの同期が失われたかを判定する手段を更に備える請求項１１に記載の装置。
【請求項１５】
前記アクセス・プローブを送信する前に端末の状態がスリープ状態であるかを判定する手段を更に備える請求項１１に記載の装置。
【請求項１６】
第１のアクセス許可が第１の期間内に受信されない場合、第２のアクセス・プローブを送信する前に、第２のアクセス・プローブが送信される送信電力を増加する手段を更に備える請求項１１に記載の装置。
【請求項１７】
無線通信システムにおいて動作可能な装置であって、
アクセス・プローブを受信する手段と、
前記アクセス・プローブを受信することに応答して、第１のアイデンティフィケーションを示すアクセス許可を生成する手段と、
前記第１のアイデンティフィケーションとは等しくない第２のアイデンティフィケーションを備えるメッセージを受信する手段と
を備える装置。
【請求項１８】
前記受信したメッセージから抽出される前記第２のアイデンティフィケーションを備えた第２のアクセス許可を送信する手段を更に備える請求項７に記載の装置。
【請求項１９】
第１のＭＡＣ  ＩＤなしで、その後のユーザ・データを受信する手段を更に備える請求項８に記載の装置。
【請求項２０】
メモリから抽出された前記第１のアイデンティフィケーションを備える第２のアクセス許可を送信する手段を更に備える請求項７に記載の装置。
【請求項２１】
以下の命令群を実行するための、格納されたコンピュータ実行可能命令を有するコンピュータ読取可能媒体であって、前記命令群は、
アクセス・プローブを送信することと、
第１のアイデンティフィケーションを示す部分を備えた第１の許可メッセージを受信することと、
前記第１のアイデンティフィケーションと等しくない第２のアイデンティフィケーションを用いてメッセージを送信することと
であるコンピュータ読取可能媒体。
【請求項２２】
以下の命令群を実行するための、格納されたコンピュータ実行可能命令を有するコンピュータ読取可能媒体であって、前記命令群は、
アクセス・プローブを受信することと、
前記アクセス・プローブを受信することに応答して、第１のアイデンティフィケーションを示すアクセス許可を生成することと、
前記第１のアイデンティフィケーションとは等しくない第２のアイデンティフィケーションを備えるメッセージを受信することと
であるコンピュータ読取可能媒体。
【請求項２３】
集積回路であって、
アクセス・プローブを送信する手段と、
第１のアイデンティフィケーションを示す部分を備えた第１の許可メッセージを受信する手段と、
前記第１のアイデンティフィケーションと等しくない第２のアイデンティフィケーションを用いてメッセージを送信する手段と
を備える集積回路。
【請求項２４】
集積回路であって、
アクセス・プローブを受信する手段と、
前記アクセス・プローブを受信することに応答して、第１のアイデンティフィケーションを示すアクセス許可を生成する手段と、
前記第１のアイデンティフィケーションとは等しくない第２のアイデンティフィケーションを備えるメッセージを受信する手段と
を備える集積回路。
【請求項２５】
無線通信システムにおいて動作可能な電子デバイスであって、
アクセス・プローブを送信する送信機と、
第１のアイデンティフィケーションを示す部分を備えた第１の許可メッセージを受信する受信機とを備え、
前記送信機は、前記第１のアイデンティフィケーションと等しくない第２のアイデンティフィケーションを用いてメッセージを送信する電子デバイス。
【請求項２６】
無線通信システムにおいて動作可能な電子デバイスであって、
アクセス・プローブを受信する受信機と、
前記アクセス・プローブを受信することに応答して、第１のアイデンティフィケーションを示すアクセス許可を生成するプロセッサとを備え、
前記受信機は更に、前記第１のアイデンティフィケーションとは等しくない第２のアイデンティフィケーションを備えるメッセージを受信する電子デバイス。
【発明の詳細な説明】
【技術分野】
【０００１】
以下の記載は、一般に無線通信に関し、特に、リソースの高速アクセスのためのスキームに関する。
【背景技術】
【０００２】
無線通信システムは、例えば音声、データ等のような様々なタイプの通信コンテンツを提供するために広く展開している。これらのシステムは、利用可能なシステム・リソース（例えば、帯域幅および送信電力）を共有することにより、多くのユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含んでいる。
【０００３】
無線通信システムは、世界中の多くの人々が通信するための普及手段となった。無線通信デバイスは、顧客ニーズを満たし、可搬性と便利性とを改善するために、より小型かつより強力になった。例えばセルラ電話のようなモバイル・デバイス内の処理能力の増加は、無線ネットワーク送信システムにおける需要の増加に至らしめた。
【０００４】
（例えば、周波数分割技術、時分割技術、および符号分割技術を適用する）一般的な無線通信ネットワークは、有効範囲領域を提供する１または複数の基地局と、この有効範囲領域内でデータを送受信することが可能な１または複数のモバイル（例えば無線）端末とを含む。一般的な基地局は、ブロードキャスト・サービス、マルチキャスト・サービス、および／またはユニキャスト・サービスのために多数のデータ・ストリームを同時に送信することができる。ここで、データ・ストリームは、モバイル端末に対する独立した受信興味でありうるデータのストリームである。その基地局の有効範囲領域内のモバイル端末は、合成ストリームによって伝送されたデータ・ストリームの１つ、１つより多く、または全てを受信することに興味を持つことができる。同様に、モバイル端末は、基地局または他のモバイル端末へデータを送信することができる。
【０００５】
ロング・ターム・エボリューション（ＬＴＥ：Long Term Evolution）システムでは、端末またはユーザ機器（ＵＥ）が、基地局（例えばノードＢまたはアクセス・ネットワーク）との接続を確立するためのリソースを必要とする場合、ランダム・アクセス・チャネル（ＲＡＣＨ）が使用される。ランダム・アクセス・チャネル・パラメータは、ダウンリンク共通制御チャネル（ＣＣＣＨ）上でノードＢによって定期的にブロードキャストされる。ダウンリンク同期を達成し、最も新しいＲＡＣＨパラメータを得た後にのみ、ＵＥは、ＲＡＣＨを介して送信することができる。ＲＡＣＨは、アップリンク・レイヤ１同期のためにも使用され、アップリンク・エア・リンク・リソース割り当てを要求する。アップリンク・エア・インタフェース（例えばＯＦＤＭシステムまたはＯＦＤＭＡシステム）の直交特性では、ＲＡＣＨリソースがリザーブされ、アクセスのみのために使用されることが必要とされる。ＲＡＣＨを利用することは、バースト的であり、スケジュールされたトラフィック・データ・チャネルを利用することよりもはるかに少ない。従って、短いアクセス遅延を保証しながら、最小のデータがＲＡＣＨ上で送信されるニーズが存在する。
【発明の開示】
【０００６】
（関連出願に対する相互参照）  
本出願は、２００６年３月２０日に出願され、高速アクセス方法と題された米国仮出願６０／７８４，７４０号の利益を主張する。この出願の全体は、参照によって本明細書に組み込まれる。
【発明の概要】
【０００７】
以下は、このような局面の基本的な理解を提供するための１または複数の局面の簡単な要約を示す。この要約は、考慮された全ての局面の広範な概要ではなく、全ての局面のキーとなる要素や決定的な要素を特定することも、任意の局面または全ての局面の範囲を線引きすることも意図されていない。その唯一の目的は、後に説明されるより詳細な記述に対する前兆として、１または複数の局面の幾つかの概念をより簡単な形式で示すことである。
【０００８】
局面に従って、無線通信システムにおける高速アクセス方法が示される。この方法は、サービス情報の品質を有するアクセス・プレアンブルを備えたアクセス・プローブを生成し、このアクセス・プローブをランダム・アクセス・チャネルで送信する。
【０００９】
局面に従って、無線通信システムにおける高速アクセス方法が示される。この方法は、サービス情報の品質を備えるアクセス・プローブを受信し、このアクセス・プローブを受信することに応答して、アクセス許可を生成し、このアクセス許可を、アクセス・プローブからの情報を用いてスクランブルし、このアクセス許可を送信する。別の局面に従って、無線通信システムで動作可能な装置が示される。この装置は、アクセス・プローブを送信する手段と、その一部がヌルに設定されている第１のアクセス許可を受信する手段と、この第１のアクセス許可を受信した後にユーザ・データが送信されるのであれば、このユーザ・データを、第１のＭＡＣ  ＩＤとともに送信する手段とを備える。別の局面では、無線通信システムで動作可能な装置が示される。この装置は、アクセス・プローブを受信する手段と、このアクセス・プローブを受信することに応答して、その一部がヌルに設定されたアクセス許可を生成する手段と、ユーザ・データおよび第１のＭＡＣ  ＩＤを受信する手段とを備える。また別の局面では、アクセス・プローブを送信し、その一部がヌルに設定された第１のアクセス許可を受信し、第１のアクセス許可が受信された後にユーザ・データが送信されるのであれば、このユーザ・データを、第１のＭＡＣ  ＩＤとともに送信するための命令群を実行させるためのコンピュータ実行可能命令をコンピュータ読取可能媒体が格納している。別の局面では、アクセス・プローブを受信し、このアクセス・プローブを受信することに応答して、その一部がヌルに設定されたアクセス許可を生成し、ユーザ・データおよび第１のＭＡＣ  ＩＤを受信するための命令群を実行させるためのコンピュータ実行可能命令をコンピュータ読取可能媒体が格納している。更に別の局面によれば、集積回路が、アクセス・プローブを送信する手段と、その一部がヌルに設定された第１のアクセス許可を受信する手段と、第１のアクセス許可が受信された後にユーザ・データが送信されるのであれば、このユーザ・データを、第１のＭＡＣ  ＩＤとともに送信する手段とを備える。別の局面では、集積回路が、アクセス・プローブを受信する手段と、このアクセス・プローブを受信することに応答して、その一部がヌルに設定されたアクセス許可を生成する手段と、ユーザ・データおよび第１のＭＡＣ  ＩＤを受信する手段とを備える。また別の局面に従って、無線通信システムで動作可能な電子デバイスが示される。この電子デバイスは、アクセス・プローブを送信する送信機と、その一部がヌルに設定された第１のアクセス許可を受信する受信機とを備え、第１のアクセス許可が受信された後にユーザ・データが送信されるのであれば、送信機が、このユーザ・データを、第１のＭＡＣ  ＩＤとともに送信する。別の局面では、無線通信システムにおける高速アクセス方法が示される。この方法は、アクセス・プローブを送信することと、第１のアイデンティフィケーションを示す第１の許可メッセージを受信することと、第１のアイデンティフィケーションと等しくない第２のアイデンティフィケーションを用いてメッセージを送信することとを備える。更に別の局面では、無線通信システムにおける高速アクセス方法が示される。こ���方法は、アクセス・プローブを受信することと、このアクセス・プローブを受信することに応答して、その一部が第１のアイデンティフィケーションを示すアクセス許可を生成することと、送信された第１のアイデンティフィケーションと等しくない第２のアイデンティフィケーションを備えるメッセージを受信することとを備える。別の局面によれば、無線通信システムにおいて動作可能な装置が示される。この装置は、アクセス・プローブを送信する手段と、第１のアイデンティフィケーションを示す部分を備えた第１の許可メッセージを受信する手段と、第１のアイデンティフィケーションとは等しくない第２のアイデンティフィケーションを用いてメッセージを送信する手段とを備える。別の局面は、無線通信システムにおいて動作可能な装置に関する。この装置は、アクセス・プローブを受信する手段と、アクセス・プローブを受信することに応答して、第１のアイデンティフィケーションを示す部分を備えるクセス許可を生成する手段と、送信された第１のアイデンティフィケーションとは等しくなく第２のアイデンティフィケーションを備えるメッセージを受信する手段とを備える。更に別の局面は、アクセス・プローブの送信し、第１のアイデンティフィケーションを示す部分を備える第１の許可メッセージを受信し、第１のアイデンティフィケーションとは等しくない第２のアイデンティフィケーションを用いてメッセージを送信するための命令群を実行するコンピュータ実行可能命令を格納したコンピュータ読取可能媒体に関連する。別の局面は、アクセス・プローブを受信し、アクセス・プローブを受信することに応答して、第１のアイデンティフィケーションを示す部分を備えるアクセス許可を生成し、送信された第１のアイデンティフィケーションと等しくない第２のアイデンティフィケーションを備えるメッセージを受信するための命令群を実行するコンピュータ実行可能命令を格納したコンピュータ読取可能媒体に関連する。また別の局面は、アクセス・プローブを送信する手段と、第１のアイデンティフィケーションを示す部分を備える第１の許可メッセージを受信する手段と、第１のアイデンティフィケーションと等しくない第２のアイデンティフィケーションを用いてメッセージを送信する手段とを備える集積回路に関する。また別の局面によれば、集積回路は、アクセス・プローブを受信する手段と、アクセス・プローブを受信することに応答して、第１のアイデンティフィケーションを示す部分を備えるアクセス許可を生成する手段と、第１のアイデンティフィケーションと等しくない第２のアイデンティフィケーションを備えるメッセージを受信する手段とを備える。別の局面によれば、無線通信システムにおいて動作可能な電子デバイスが示される。この電子デバイスは、アクセス・プローブを送信する送信機と、第１のアイデンティフィケーションを示す部分を備える第１の許可メッセージを受信する受信機とを備え、送信機は、第１のアイデンティフィケーションと等しくない第２のアイデンティフィケーションを用いてメッセージを送信する。更に別の局面は、無線通信システムにおいて動作可能な電子デバイスに関する。この電子デバイスは、アクセス・プローブを受信する���信機と、このアクセス・プローブを受信することに応答して第１のアイデンティフィケーションを示すヌルに設定された部分を備えたアクセス許可を生成するプロセッサとを備え、受信機は更に、送信された第１のアイデンティフィケーションと等しくない第２のアイデンティフィケーションを備えた第１のＭＡＣ  ＩＤメッセージおよびユーザ・データを受信する。
【００１０】
前述した目的および関連する目的を達成するために、１または複数の局面は、以下に十分に記述され、特許請求の範囲で特に指定された特徴を備える。以下の記載および添付図面は、１または複数の局面のうちの詳細なある例示的な局面を述べる。しかしながら、これら局面は、様々な局面の原理が適用された様々な方法のうちの僅かのみしか示しておらず、記載された局面は、そのような全ての局面およびそれらの等価物を含むことが意図される。
【詳細な説明】
【００１１】
様々な実施形態が、同一の参照番号が全体を通じて同一の要素を示す図面を参照して記述される。以下の記載では、説明の目的のために、多くの具体的な詳細が、１または複数の実施形態についての完全な理解を提供するために述べられる。しかしながら、そのような実施形態が、これら特定の詳細なしで実現されることが明白でありうる。他の事例では、周知の構造およびデバイスが、１または複数の実施形態の記述を容易にするためにブロック図形式で示される。
【００１２】
本出願で使用されるように、用語「コンポーネント」、「モジュール」、「システム」等は、コンピュータ関連エンティティ、および、ハードウェア、ファームウェア、ハードウェアとソフトウェアとの組み合わせ、ソフトウェア、実行中のソフトウェアの何れかを称することが意図される。例えば、コンポーネントは、限定される訳ではないが、プロセッサ上で実行中の処理、プロセッサ、オブジェクト、実行可能形式、実行スレッド、プログラム、および／または、コンピュータでありうる。一例として、コンピュータ・デバイス上で実行中のアプリケーションと、計算デバイスとは、コンポーネントになりうる。１または複数のコンポーネントは、実行中のスレッドおよび／または処理内に存在することができる。また、コンポーネントは、１つのコンピュータに集中されるか、および／または、２またはそれ以上のコンピュータ間で分散されうる。更に、これらのコンポーネントは、そこに格納された様々なデータ構造を有する様々なコンピュータ読取可能媒体から実行可能である。これらコンポーネントは、例えば、１または複数のデータ・パケット（例えば、ローカル・システムや分散システム内の他のコンポーネントとインタラクトするコンポーネント、および／または、信号を介して他のシステムとインタラクトする例えばインターネットのようなネットワークを介したコンポーネントからのデータ）を有する信号に従って、ローカル処理および／または遠隔処理によって通信することができる。
【００１３】
更に、本明細書では、様々な実施形態が、モバイル・デバイスに関して記述される。モバイル・デバイスはまた、システム、加入者ユニット、加入者局、移動局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション加入プロトコル（ＳＩＰ）電話、ワイヤレス・ローカル・ループ（ＷＬＬ）局、携帯情報端末（ＰＤＡ）、無線接続機能を有するハンドヘルド・デバイス、計算デバイス、あるいは無線モデムに接続されたその他の処理デバイスでありうる。更に、本明細書では、様々な実施形態が、基地局に関連して記述される。基地局は、モバイル・デバイスと通信するために利用することができ、また、アクセス・ポイント、ノードＢ、あるいは他の幾つかの用語でも称される。
【００１４】
更に、本明細書で記述された様々な局面または機能は、標準的なプログラムおよび／またはエンジニアリング技術を用いた製造物品、装置、または方法として実現されうる。本明細書で使用される用語「製造物品」は、任意のコンピュータ読取可能デバイス、キャリア、または媒体からアクセス可能なコンピュータ・プログラムを包含するように意図される。例えば、コンピュータ読取可能媒体は、限定される訳ではないが、磁気記憶デバイス（例えば、ハード・ディスク、フロッピー（登録商標）ディスク、磁気ストライプ等）、光学ディスク（例えば、コンパクト・ディスク（ＣＤ）、ＤＶＤ等）、スマート・カード、およびフラッシュ・メモリ・デバイス（例えばＥＰＲＯＭ、カード、スティック、キー・ドライブ等）を含むことができる。更に、本明細書で記述された様々な記憶媒体は、情報を格納するための１または複数のデバイスおよび／またはその他の機械読取可能媒体を表わすことができる。用語「機械読取可能媒体」は、限定される訳ではないが、無線チャネルや、命令および／またはデータを格納、包含、および／または搬送することが可能なその他様々な媒体を含むことができる。
【００１５】
図１に示すように、無線通信環境における最適なダウンリンク送信を有効にするシステム１００が、本明細書の様々な実施形態に従って例示される。基地局１０２は、１または複数のモバイル・デバイス１０４と通信するように構成される。基地局１０２は、ローカルな送信と分散された送信とを多重化することが可能な最適化コンポーネント１０６と、例えば、基地局機能に関する情報を受信する受信コンポーネント１０８とから構成される。最適化コンポーネント１０６は、周波数ダイバーシティが達成され、送信に関するオーバヘッド・コストが例えばインフラのような様々なスキームによって緩和さえるようにダウンリンク送信を可能にする。理解されるように、ローカルな送信と分散された送信との多重化によって、様々なトラフィック・サービスおよびユーザ機能の適応が可能となる。更に、１または複数のモバイル・デバイス１０４のユーザが、チャネル特性を利用することが可能となる。更に、例えば、１または複数のモバイル・デバイス１０４は、モバイル・デバイス機能、ダウンリンク・チャネル条件の推定値、および加入者データに関連する情報を、基地局１０２における最適化コンポーネント１０６に提供することができる。基地局１０２は、高速ユーザ対低速ユーザの割合を判定し、モバイル・デバイス機能に関連する情報と加入者データとを格納することができる。更に、基地局１０２のそのような機能によって、最適化コンポーネント１０６は、周囲の条件に従って最適な多重化スキームを選択できるようになる。
【００１６】
図２−３に示すように、高速アクセス通信システムに関連する方法が図示される。説明の簡潔にする目的で、これら方法が示され、一連の動作として説明されるが、これら方法は、この順序に限定されるのではなく、幾つかの動作は、クレームされる主題に関連して、本明細書で示され記述されたものとは異なる順序で、および／または他の動作と同時に起こりうることが理解され認識されるべきである。例えば、当業者であれば、方法は、その代わりに、例えば状態図のような相互関連する状態またはイベントのシリーズとして表すことができることを理解し認識するだろう。更に、例示された全ての動作が、クレームされる主題に従って方法を実施することを要求されている訳ではない。
【００１７】
特に図２に示すように、無線通信システムにおける高速アクセス手順を容易にする方法２００（例えば、ＯＦＤＭシステムまたはＯＦＤＭＡシステム）が例示される。この方法は、初期アクセス、端末が同期を失った場合またはアクセス・ネットワークと同期していない場合における同期、またはハンドオフのために使用することができる。この方法は２０２で始まり、アクセス・プローブがアクセス・ネットワーク（ノードＢ）に送信される。局面では、アクセス・プローブが、ランダム・アクセス・チャネル（ＲＡＣＨ）で送信される。アップリンク・リソースの使用を最小化するために、プリアンブルのみが送信される。プリアンブルは、（以下に説明するアクセス・プローブに応答してダウンリンクで送られたアクセス許可メッセージの電力制御を可能にする）ダウンリンクＣ／Ｉ情報、チャネル品質インジケータ・フィードバック、（スケジューラが最初のリソース割当を選択および／または優先的にすることを可能にする）ＱｏＳ関連情報、（別のＵＥから同一のアクセス・プローブがノードＢに同時に到着する確率を下げる）ランダムＩＤ、（プローブがターゲット・ノードＢのみにおいて復号を成功できるように、アクセス・プローブをスクランブルするために使用される）セルＩＤとを含みうる。アクセス・プローブ・プリアンブルは、アクセス・シーケンスから構成される。アクセス・シーケンスは、起こりうる衝突を回避するために使用されるＵＥのダウンリンクＣ／Ｉ、ＱｏＳ情報、および／または乱数から導かれる。局面では、アクセス・シーケンスはすべて直交する。アクセス・シーケンスは、セル特有のスクランブル・シーケンスによって、送信する前にスクランブルされる。別の局面では、スクランブル・シーケンスは、セルＩＤの関数であるのみならず、更に、（ＵＥ  ＩＤの任意の種類で十分である）ＭＡＣ  ＩＤのセルＩＤの関数である。
【００１８】
局面では、アクセス・プローブを送信した後、方法は２０４に進み、このアクセス・プローブに応答してアクセス許可が受信されたかが判定される。アクセス許可が受信された場合、アクセス・プローブからの情報を用いてアクセス許可を復号した後に、方法は２０６へ進む。２０６では、接続オープン要求メッセージ（例えば、ConnectionOpenRequest）が送信され、方法は応答を待つ。２０８では、接続オープン要求メッセージに応答して、接続オープン応答メッセージ（ConnectionOpenResponse）が受信される。別の局面では、端末が既にＭＡＣ  ＩＤを割り当てている場合（例えば、端末がアクティブ状態である場合）、２０６および２０８に記載の方法が省かれ、端末は、アクセス・ネットワークとデータの交換を始める。
【００１９】
２０４に戻って示すように、予め定めた時間後にアクセス許可が得られない場合、方法は２０８へ進む。２１０では、予め定めた最大の再送信回数に達したかが判定される。アクセス・プローブが予め定めた最大の再送信回数に達した場合、方法は２１２に進む。２１２では、送信電力がオリジナル・レベルへリセットされ、アクセス・プローブが再送信される。方法は２０４へ進み、アクセス許可が受信されたか否かがチェックされる。アクセス・プローブが予め定めた最大の再送信回数に達していない場合、方法は２１４へ進む。２１４では、アクセス・プローブは、より高い電力で再送信される。この方法は２０４へ進み、アクセス許可が受信されたかがチェックされる。
【００２０】
次に図３に示すように、無線通信システムにおいてアクセス・プローブを受信することを容易にする一例である方法３００が例示される。この方法は３０２で始まり、アクセス・シーケンスを備えたアクセス・プローブが受信される。アクセス・プローブが正しく検出された場合、方法は３０４へ進む。３０４では、アクセス・ネットワークが、アクセス許可を生成する。このアクセス許可は、アクセス・プローブに関連付けられており、受信したアクセス・プローブからの情報を用いる。アクセス・ネットワークは、アクセス・ネットワークとデータを交換するために、アクセス・プローブに関連付けられた端末へ提供するパラメータを決定する。アクセス許可は、端末ＭＡＣ  ＩＤ、アップリンク・リソース割当、およびアップリンク調節を含む。アクセス許可は、誤り訂正スキームを用いて、スクランブルおよび保護されうる。アクセス許可がブロードキャスト・チャネルで様々な端末へ送られると、要求者だけがこのアクセス許可を復号できるように、アクセス・プローブからの情報を用いてスクランブルされる。例えば、ノードＢは、受信したアクセス・プリアンブル・シーケンスを用いてアクセス許可をスクランブルする。対応するアクセス・プリアンブル・シーケンスを選択したＵＥだけが、このアクセス許可を復号することができる。アクセス許可が生成された後、３０６において、方法は、アクセス許可を送信し、オープン接続の要求を待つ。３０８では、オープン接続要求メッセージが受信される。端末を認証した後、３１０において、オープン接続応答メッセージが送信される。
【００２１】
別の局面では、図２−３に例示する方法が、ハンドオフ・スキームのために適用されうる。ＵＥは、ソース・ノードＢとのハンドオフをネゴシエートする。並列して、ソース・ノードＢは、ターゲット・ノードＢとのハンドオフをネゴシエートする。ＵＥがターゲット・ノードＢ上でデータの交換を始める前に、ＵＥは、ターゲット・ノードＢへ向けて同期メッセージを送信する。同期メッセージは、アクセス・プリアンブルから成り、ＲＡＣＨで送信される。スクランブル・シーケンスは、ＭＡＣ  ＩＤとしてのターゲット・セルＩＤの関数である。アップリンク同期が達成される場合、ターゲット・ノードＢは、ＵＥにアクセス許可を送る。
【００２２】
別の局面では、図４−５に例示する方法が、同期のために適用される。特に図４に示すように、無線通信システム（例えば、ＯＦＤＭシステムまたはＯＦＤＭＡシステム）における高速アクセス手順を容易にする方法４００が例示される。この方法は、端末が同期を失った場合、あるいは、アクセス・ネットワークと同期していない場合、あるいはハンドオフ時の同期のために使用される。方法４００は、端末が、アクセス・ネットワークと同期していないと判定した場合に実行される。端末がアクティブ・モードからスリープ・モードへ遷移した場合、デープ・フェージングに遷移した場合、あるいは、ハンドオフ手順中である場合に、アクセス・ネットワークとの同期を失う。局面では、方法は４０４で始まり、アクセス端末が、アクセス・ネットワーク（ノードＢ）へアクセス・シグニチャ（アクセス・プローブとも称される）を送信する。局面では、アクセス・プローブが、ランダム・アクセス・チャネル（ＲＡＣＨ）で送信される。アクセス・プローブは、ダウンリンクＣ／Ｉ情報、チャネル品質インジケータ・フィードバック、ＱｏＳ関連情報、ランダムＩＤ、セルＩＤ、あるいはＭＡＣ  ＩＤフラグを含みうる。この方法は再同期用であるので、端末は既にＭＡＣ  ＩＤを有しており、アクセス・ネットワークからの新たなＭＡＣ  ＩＤを必要としない。局面では、アクセス・プローブのＭＡＣ  ＩＤフラグが、新たなＭＡＣ  ＩＤが必要とされていないこと、あるいは、ＭＡＣ  ＩＤフラグが使用されないことを示すように設定される。
【００２３】
アクセス・プローブの送信後、方法は４０６へ進み、端末が、アクセス・プローブに応答して、アクセス・ネットワーク（ノードＢ）からＵＬアクセス許可を受信する。局面では、アクセス・プローブに応答して受信された第１のＵＬ許可メッセージは、ＵＬリソースに関する情報、タイミングを調節するためのタイミング・パラメータ、およびＭＡＣ  ＩＤ部分を含みうる。局面では、ＭＡＣ  ＩＤ部分は、アクセス・プローブに応答して受信された第１の許可メッセージについてＮＵＬＬ（例えば、ゼロのシリーズ、または、使用不可データを示すために使用される任意のパターン）に設定される。端末は、許可メッセージのＭＡＣ  ＩＤ部分の処理を無視することができる。ＭＡＣ  ＩＤ部分がＮＵＬＬではない（アクセス・ネットワークが新たなＭＡＣ  ＩＤを割り当てた）場合、端末は、新たなＭＡＣ  ＩＤを無視し続け、メモリに格納された以前に割り当てられたＭＡＣ  ＩＤを使用し続けることができる。割り当てられたＭＡＣ  ＩＤを端末が持たない場合、端末は、アクセス許可メッセージからのＭＡＣ  ＩＤを使用する。別の局面では、アクセス・ネットワークは、アクセス・プローブからの情報に基づいて、メモリから抽出されたＭＡＣ  ＩＤを提供することができる。この局面では、ＵＬ許可メッセージが、異なるパラメータのセットを備えており、端末は、ＭＡＣ  ＩＤ部分、異なるＵＬ許可メッセージを処理するだろう。
【００２４】
４０８に示すように、アクセス許可から受信されたパラメータを用いて、アクセス・ネットワークとの通信を確立する。ここで、端末は、ユーザ・データの通信を開始する。局面では、端末は、アップリンク共有チャネルで送信する場合に、そのＭＡＣ  ＩＤを提供する。アクセス・ネットワークは、このＭＡＣ  ＩＤをメモリに格納する。４１０では、端末は、アクセス・ネットワークから第２の、すなわち次のＵＬアクセス許可メッセージを受信する。端末は、第１のＵＬアクセス許可メッセージを受信すること（４０６）に引き続いて受信された全てのＵＬ許可メッセージのＭＡＣ  ＩＤ部分を処理する。その後、４１２において、端末は、アップリンク共有チャネルでユーザ・データを送信するが、その後のユーザ・データ送信の一部としてＭＡＣ  ＩＤを提供しない。
【００２５】
図５に、無線通信システムにおいてアクセス・プローブを受信することを容易にする一例である方法５００を示す。方法は５０２で始まり、アクセス・プローブが受信される。アクセス・プローブが正しく検出されると、方法は５０４へ進む。５０４では、アクセス・ネットワークがアクセス許可を生成する。このアクセス許可は、アクセス・プローブと、受信したアクセス・プローブからのユーザ情報とに関連している。アクセス・ネットワークは、アクセス・ネットワークとデータを交換するために、アクセス・プローブに関連付けられた端末へ提供するためのパラメータを決定する。アクセス許可はとりわけ、アップリンク・リソース割当およびアップリンク調節を備える。局面では、アクセス・プローブは、ＭＡＣ  ＩＤフラグを含むことができる。ＭＡＣ  ＩＤフラグがアクセス・プローブの一部であり、設定される（すなわち、ＭＡＣ  ＩＤを割り当てるために、アクセス・ネットワークを要求する）のであれば、ＭＡＣ  ＩＤは、アクセス許可メッセージの一部として含まれる。別の局面では、アクセス・プローブは、ＭＡＣ  ＩＤが要求されたという表示を何ら含まない。この局面では、ＭＡＣ  ＩＤが要求されていないことを示すアクセス・プローブに応答して送信されたＵＬアクセス許可メッセージのＭＡＣ  ＩＤ部分は、ＭＡＣ  ＩＤをヌルとして与える。別の局面では、アクセス・プローブは、第１のインジケータを備える。第１のインジケータが設定されると、アクセス・ネットワークは、アクセス・プローブを、ゼロ・レート要求であると判定し、アクセス・ネットワークは、タイミング調節または電力調節のみを与える。５０６では、アクセス・ネットワークは、アクセス許可の後に第１のメッセージを受信する。この第１のメッセージは、ＭＡＣ  ＩＤあるいはユーザ・データを含みうる。５０８では、アクセス・ネットワークが、例えば第２のＵＬアクセス許可メッセージのような将来の全てのメッセージが、受信したＭＡＣ  ＩＤを用いるであろうことを示すようにメモリを更新する。
【００２６】
図６に示すように、本明細書に記載された様々な実施形態に従って無線通信システム６００が例示される。システム６００は、無線通信信号を互いに、および／または、１または複数のモバイル・デバイス６０４との間で受信、送信、反復等を行う、１または複数のセクタ内の１または複数の基地局６０２（例えば、アクセス・ポイント）を備えることができる。基地局６０２はそれぞれ、送信機チェーンおよび受信機チェーンを備える。それらの各々は、当業者に理解されるように、信号送信および受信に関連する複数の構成要素（例えば、プロセッサ、変調器、マルチプレクサ、復調器、デマルチプレクサ、アンテナ・・・）を備える。モバイル・デバイス６０４は、例えば、セルラ電話、スマート・フォン、ラップトップ、ハンドヘルド通信デバイス、ハンドヘルド計算デバイス、衛星ラジオ、全地球測位システム、ＰＤＡ、および／または、無線通信システム６００を介して通信するのに適切なその他任意のデバイスになりえる。
【００２７】
基地局６０２は、ＯＦＤＭ技術またはＯＦＤＭＡ技術を適用することにより、モバイル・デバイス６０４へのコンテンツをブロードキャストすることができる。ＯＦＤＭのような周波数分割ベースの技術は、一般に、周波数スペクトルを別々のチャネルに分離する。例えば、周波数スペクトルは、一定の塊の帯域幅（周波数範囲）へ分割されうる。ＯＦＤＭは、システム帯域幅全体を、多くの直交周波数チャネルへ区分する。周波数チャネルは、システム要件に依存して、同期ＨＡＲＱ割当または非同期ＨＡＲＱ割当を使用することができる。更に、ＯＦＤＭシステムは、複数の基地局６０２に関する複数のデータ送信間の直交性を達成するために、時分割多重化および／または周波数分割多重化を使用することができる。
【００２８】
図７Ａに示すように、無線通信における高速アクセスを容易にするシステム７００が例示される。システム７００は、アクセス・プローブを生成するためのモジュール７０２、第１のアクセス許可を受信するためのモジュール７０４、およびユーザ・データを送信するためのモジュール７０６を含みうる。モジュール７０２、７０４および７０６は、プロセッサあるいは任意の電子デバイスとなることができ、メモリ・モジュール７０８に接続されうる。
【００２９】
図７Ｂに示すように、無線通信における高速アクセスを容易にするシステム７５０が例示される。システム７５０は、アクセス・プローブを受信するためのモジュール７５２、受信したアクセス・プローブに応答してアクセス許可を生成するためのモジュール７５４、およびユーザ・データを受信するためのモジュール７５６を含みうる。モジュール７５２−７５６は、プロセッサまたは任意の電子デバイスであることができ、メモリ・モジュール７６０に接続されうる。
【００３０】
図８は、本明細書で述べられた１または複数の局面にしたがって無線通信環境におけるその他のセクタ通信に備える端末またはユーザ・デバイス８００の例示である。端末８００は、例えば１または複数の受信アンテナのように、信号を受信し、受信した信号に一般的な動作（例えば、フィルタ、増幅、ダウンコンバート等）を実行し、調整した信号をデジタル化して、サンプルを取得する受信機８０２を備える。復調器８０４は、サンプルを復調し、受信したパイロット・シンボルをプロセッサ８０６へ提供することができる。
【００３１】
プロセッサ８０６は、受信コンポーネント８０２によって受信された情報を分析すること、および／または、送信機８１４による送信用の情報を生成することのためのプロセッサでありうる。プロセッサ８０６は、端末８００のうちの１または複数の構成要素を制御するプロセッサ、および／または、受信機８０２によって受信された情報を分析し、送信機８１４による送信のための情報を生成し、端末８００のうちの１または複数の構成要素を制御するプロセッサでありうる。プロセッサ８０６は、図２−３に関して記述されたものを含めて、本明細書で記述された方法のうちの何かを利用することができる。
【００３２】
更に、端末８００は、正しい送信のアクノレッジメントを含めて、受信した入力を分析する送信制御コンポーネント８０８を含むことができる。アクノレッジメント（ＡＣＫ）は、サービス提供セクタおよび／または近隣セクタから受信されうる。アクノレッジメントは、前の送信がアクセス・ポイントのうちの１つによって正しく受信され復号されたことを示す。アクノレッジメントが受信されない場合、あるいは否定的なアクノレッジメント（ＮＡＫ）が受信された場合、この送信は再送信することができる。送信制御コンポーネント８０８は、プロセッサ８０６に組み込まれうる。送信制御コンポーネント８０８は、アクノレッジメントの受信を判定することに関連する分析を実行する送信制御コードを含むことができると認識されるべきである。
【００３３】
端末８００は更に、プロセッサ８０６に動作可能に接続され、送信関連情報、セクタのアクティブ・セット、送信制御方法、それに関連する情報を備えたルックアップ・テーブル、および、本明細書に記載の送信およびアクティブ・セット・セクタに関連するその他任意の適切な情報を格納するメモリ８１０を備えうる。本明細書に記載のデータ格納（例えば、メモリ）コンポーネントは、揮発性メモリまたは不揮発性メモリの何れであっても良く、あるいは、揮発性メモリと不揮発性メモリとの両方を含んでいても良いことが認識されよう。限定ではなく例示として、不揮発性メモリは、読取専用メモリ（ＲＯＭ）、プログラム可能ＲＯＭ（ＰＲＯＭ）、電子的プログラム可能（ＥＰＲＯＭ）、電子的消去可能ＲＯＭ（ＥＥＰＲＯＭ）、またはフラッシュ・メモリを含むことができる。揮発性メモリは、外部キャッシュ・メモリとして動作するランダム・アクセス・メモリ（ＲＡＭ）を含むことができる。限定ではなく例示として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクトＲａｍｂｕｓ  ＲＡＭ（ＤＲＲＡＭ）のような多くの形態で利用可能である。主題であるシステムおよび方法のメモリ８１０は、限定される訳ではないが、これらのメモリおよびその他の適切なタイプのメモリを含むことが意図される。プロセッサ８０６は、シンボル変調器８１２と、変調された信号を送信する送信機８１４とに接続されている。
【００３４】
図９は、様々な局面に従って、通信環境におけるその他のセクタ通信を容易にするシステム９００の例示である。システム９００は、１または複数の受信アンテナ９０６を介して１または複数の端末９０４から信号を受信する受信機９１０と、複数の送信アンテナ９０８を介して１または複数の端末９０４へ送信する送信機９２０とを備えたアクセス・ポイント９０２を備える。端末９０４は、近隣のセクタによってサポートされた端末９０４のみならず、アクセス・ポイント９０２にサポートされた端末を含むことができる。
【００３５】
１または複数の局面では、受信アンテナ９０６と送信アンテナ９０８は、単一のアンテナ・セットを用いて実現することができる。受信機９１０は、受信アンテナ９０６から情報を受信することができ、受信した情報を復調する復調器９１２と動作可能に関連付けられる。受信機９１０は、当業者によって理解されるように、例えば、レーキ受信機（例えば、複数のベースバンド相関器を用いてマルチ・パス信号成分を個別に処理する技術）、ＭＭＳＥベースの受信機、または、割り当てられた端末を分離するためのその他幾つかの適切な受信機でありうる。様々な局面によれば、（例えば、受信アンテナ毎に１つのように）複数の受信機を適用することができ、そのような受信機は、改善されたユーザ・データの推定値を提供するために、互いに通信することができる。復調されたシンボルは、図１０に関連して上述されたプロセッサに類似し、端末に関連する情報、端末に関連付けられた割当リソース等を格納するメモリ９１６に接続されているプロセッサ９１４によって分析される。各アンテナの受信機出力は、プロセッサ９１０および／またはプロセッサ９１４によって共同で処理されうる。変調器９１８は、送信機９２０によって送信アンテナ９０８を介して端末９０４へ送信するための信号を多重化することができる。
【００３６】
アクセス・ポイント９０２は更に、プロセッサ９１４とは別であるか、あるいはそれに統合されうる端末通信コンポーネント９２２を備える。端末通信コンポーネント９２２は、近隣のセクタによってサポートされている端末のためのリソース割当情報を得ることができる。更に、端末通信コンポーネント９２２は、アクセス・ポイント９０２にサポートされている端末のために、近隣のセクタに割当情報を提供することができる。割当情報は、バックホール・シグナリング経由で提供されうる。
【００３７】
割り当てられた情報に関連する情報に基づいて、端末通信コンポーネント９２２は、受信した送信の復号のみならず、近隣のセクタによってサポートされている端末からの送信を直接的に検出することができる。メモリ９１６は、パケットの復号に必要な割当情報を受信する前に、端末から受信したパケットを保持することができる。端末通信コンポーネント９２２はまた、送信の正しい受信および復号を示すアクノレッジメントの送受信をも制御することができる。端末通信コンポーネント９２２は、リソースの割当、ソフト・ハンドオフに関する端末の識別、送信の復号等に関連してユーティリティ・ベースの制御を実行する送信分析コードを含むことができることが認識されるべきである。端末分析コードは、推論実行に関連する人工知能ベースの方法、および／または、確率論的な判定、および／または、端末のパフォーマンスを最適化することに関連する統計ベースの判定を利用することができる。
【００３８】
図１０は、典型的な無線通信システム１０００を示す。無線通信システム６００は、簡潔さの目的で、１つの端末および２つのアクセス・ポイントを示している。しかしながら、このシステムは、１または複数のアクセス・ポイント、および／または１より多い端末を含むことができることが認識されよう。ここでは、更なるアクセス・ポイントおよび／または端末は、以下に示す典型的なアクセス・ポイントおよび端末と実質的に類似しているか、あるいは、異なっている。更に、アクセス・ポイントおよび／または端末は、本明細書に記載のシステム（図１、４−９）、および／または方法（図２−３）を適用することができると認識されるべきである。
【００３９】
図１０は、マルチ・アクセス・マルチ・キャリア通信システム１０００における端末１００４と、端末１０２４をサポートするサービス提供アクセス・ポイント１００２Ｘと、近隣のアクセス・ポイント１００２Ｙとのブロック図を示す。アクセス・ポイント１００２Ｘでは、送信（ＴＸ）データ・プロセッサ１０１４が、データ・ソース１０１２からのトラフィク・データ（すなわち、情報ビット）と、コントローラ１０２０およびスケジューラ１０３０からシグナリングおよびその他の情報とを受信する。例えば、スケジューラ１０３０は、端末のためのキャリアの割当を与えることができる。更に、メモリ１０２２は、現在の割当または前の割当に関する情報を保持することができる。ＴＸデータ・プロセッサ１０１４は、受信したデータを、マルチ・キャリア変調（例えばＯＦＤＭ）を用いて符合化および変調し、変調データ（例えばＯＦＤＭシンボル）を提供する。その後、送信機ユニット（ＴＭＴＲ）１０１６が、この変調データを処理して、ダウンリンク変調信号を生成する。この信号は、その後、アンテナ１０１８から送信される。
【００４０】
割当情報を端末１００４へ送信する前に、スケジューラは、割当情報をアクセス・ポイント１００２Ｙへ提供することができる。この割当情報は、バックホール・シグナリング（例えばＴ１ライン）１０１０を介して提供されうる。あるいは、割当情報は、端末１００４への送信後に、アクセス・ポイント１００２Ｙへ提供されうる。
【００４１】
端末１００４では、送信された変調信号がアンテナ１０５２によって受信され、受信機ユニット（ＲＣＶＲ）１０５４へ提供される。受信機ユニット１０５４は、この受信した信号を処理してデジタル化し、サンプルを得る。そして、受信（ＲＸ）データ・プロセッサ１０５６が、このサンプルを復調および復号して、復号データを得る。復号データは、復元されたトラフィック・データ、メッセージ、シグナリング等を含みうる。このトラフィック・データはデータ・シンク１０５８へ提供され、端末１００４のキャリア割当情報がコントローラ１０６０へ提供される。
【００４２】
コントローラ１０６０は、端末１００４に割り当てられ、受信されたキャリア割当において示される具体的なキャリアを用いてアップリンクでのデータ送信を指示する。メモリ１０６２は、割り当てられたリソース（例えば、周波数、時間、および／または符号）に関する情報およびその他の関連情報を保持することができる。
【００４３】
端末１００４については、ＴＸデータ・プロセッサ１０７４が、データ・ソース１０７２からトラフィック・データを、コントローラ１０６０からシグナリングおよび他の情報を受信する。様々なタイプのデータが、割り当てられたキャリアを用いてＴＸデータ・プロセッサ１０７４によって符合化および変調され、送信機ユニット１０７６によって更に処理されて、アップリンク変調信号が生成される。この信号はその後アンテナ１０５２から送信される。
【００４４】
アクセス・ポイント１００２Ｘおよび１００２Ｙでは、端末１００４からの送信され変調された信号が、アンテナ１０１８によって受信され、受信機ユニット１０３２によって処理され、ＲＸデータ・プロセッサ１０３４によって復調され、復号される。送信された信号は、サービス提供しているアクセス・ポイント１００２Ｘによって生成された割当情報に基づいて復号され、近隣のアクセス・ポイント１００２Ｙに提供される。更に、アクセス・ポイント１００２Ｘおよび１００２Ｙは、その他のアクセス・ポイント（１００２Ｘまたは１００２Ｙ）および／または端末１００４へ提供されるアクノレッジメント（ＡＣＫ）を生成することができる。復号された信号は、データ・シンク１０３６に供給されうる。受信機ユニット１０３２は、各端末についての受信した信号品質（例えば、受信した信号対雑音比（ＳＮＲ））を推定し、この情報をコントローラ１０２０へ提供する。ＲＸデータ・プロセッサ１０３４は、各端末について復元されたフィードバック情報をコントローラ１０２０およびスケジューラ１０３０へ提供する。
【００４５】
スケジューラ１０３０は、例えば（１）逆方向リンクでのデータ送信のための端末のセットを選択すること、および（２）選択された端末へキャリアを割り当てることのような多くの機能を実行するためにフィードバック情報を用いる。そして、スケジュールされた端末のキャリア割当が、これら端末へと順方向リンクで送信される。
【００４６】
本明細書で記述された技術は、様々な手段によって実施されうる。例えば、これらの技術は、ハードウェア、ソフトウェア、あるいはそれらの組合せで実施されうる。ハードウェアで実現する場合、これら技術のための処理ユニット（例えば、コントローラ１０２０および１０６０、ＴＸプロセッサ１０１４およびＲＸプロセッサ１０３４等）が、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレー（ＦＰＧＡ）、プロセッサ、コントローラ、マイクロ・コントローラ、マイクロプロセッサ、本明細書に記載の機能を実行するために設計されたその他の電子ユニット、またはこれらの組み合わせ内に実装されうる。
【００４７】
ソフトウェアで実現する場合、本明細書に記載の技術は、本明細書に記載の機能を実行するモジュール（例えば、手順、機能等）を用いて実現される。ソフトウェア・コードが、メモリ・ユニットに格納され、プロセッサによって実行されうる。メモリ・ユニットはプロセッサ内に実装されるか、あるいはプロセッサの外部に実装される。外部に実装される場合、当該技術分野で周知の様々な手段によってプロセッサに通信可能に接続されうる。
【００４８】
上述したものは、１または複数の局面の例を含む。もちろん、上述した局面を記述するために、構成要素および方法からなる考えられる全ての組み合わせを記述することは可能ではないが、当業者であれば、様々な局面の更なる組み合わせおよび置き換えが可能であることを認識することができる。従って、記述された局面は、特許請求の範囲の精神および範囲に入るそのような全ての変更、修正、および変形を包含することが意図される。更に、用語「含む」が詳細な説明または特許請求の範囲の何れかで用いられるという点で、そのような用語は、特許請求の範囲における遷移語として使用される場合の用語「備える」が解釈されるのと同様に、包括的であることが意図される。
【図面の簡単な説明】
【００４９】
【図１】図１は、無線通信環境における最適なダウンリンク送信を有効にするシステムの実例である。
【図２】図２は、無線通信システムにおいて、アクセス・ポイントによって適用されるシステム種類を容易にする方法の実例である。
【図３】図３は、無線通信システムにおいて、アクセス端末によって適用されるシステム種類を容易にする方法の実例である。
【図４】図４は、本明細書で述べられた様々な局面に従って無線通信システムにおける高速アクセス手順を容易にする方法である。
【図５】図５は、無線通信システムにおいてアクセス・プローブを受信することを容易にする方法の実例である。
【図６】図６は、本明細書で示された様々な実施形態に従った無線通信システムを図示する。
【図７Ａ】図７Ａは、無線通信における高速アクセスを容易にするシステムを例示する。
【図７Ｂ】図７Ｂは、無線通信における高速アクセスを容易にするシステムを例示する。
【図８】図８は、本明細書に記載された１または複数の局面に従って、無線通信環境内の他のセクタ通信のための端末デバイスまたはユーザ・デバイスを例示する。
【図９】図９は、種々の局面に従って、通信環境における他のセクタ通信を容易にするシステムの例である。
【図１０】図１０は、様々な局面に従った典型的な無線通信システムを例示する。
【図１】
2009530990.tif 000003
【図２】
2009530990.tif 000004
【図３】
2009530990.tif 000005
【図４】
2009530990.tif 000006
【図５】
2009530990.tif 000007
【図６】
2009530990.tif 000008
【図７Ａ】
2009530990.tif 000009
【図７Ｂ】
2009530990.tif 000010
【図８】
2009530990.tif 000011
【図９】
2009530990.tif 000012
【図１０】
2009530990.tif 000013
【国際調査報告】
2009530990.tif 000014
2009530990.tif 000015
2009530990.tif 000016